(57)【特許請求の範囲】
【請求項１】
嵌合方向に屈曲し、係止孔を有する係止片を備えるインナー、前記係止片と前記係止孔より前記嵌合方向の手前側において嵌合する嵌合部及び前記係止孔を露出させる露出孔を有するアウター、並びに前記係止孔に挿通される係止具を備える座部と、
前記アウターを支持するフレームと、
前記フレームに支持される背もたれと、
前記フレームを支持する脚部と、
を備える椅子。
【請求項２】
前記係止片は、
前記インナーのアウターに対する前方向又は後ろ方向のいずれか一方のずれ及び上下方向の離間を防止するように前記嵌合部と係合し、
前記インナーのアウターに対する左右方向のずれを防止するように前記嵌合部の幅と対応する幅を有し、
前記係止具は、
前記インナーのアウターに対する前方向又は後ろ方向のいずれか他方のずれを防止するように前記係止孔に挿通される請求項１に記載の椅子。
【請求項３】
前記嵌合方向は前記椅子の前方向であり、
前記インナーは、
後ろ方向から前方向に向けて移動されることによりアウターに取り付けられる請求項１又は請求項２に記載の椅子。
【請求項４】
前記アウターは、
前記フレームに回転可能に支持され、
前記アウターが後ろ後方に跳ね上げられた場合、前後方向に重ねて収納可能な請求項３に記載の椅子。
【請求項５】
前記係止片は、
前記アウターの後方側に対応した位置のインナーに配置される請求項４に記載の椅子。
【請求項６】
前記係止片は、
前記アウターの幅方向両側に対応した位置のインナーに一対設けられ、
前記嵌合部及び前記露出孔は、
前記インナーの前記係止片に対応する位置に設けられる請求項５に記載の椅子。
【請求項７】
嵌合方向に屈曲し、係止孔を有する係止片を備えるアウター、前記係止片と前記係止孔より前記嵌合方向の手前側において嵌合する嵌合部及び前記係止孔を露出させる露出孔を有するインナー、並びに前記係止孔に挿通される係止具を備える座部と、
前記アウターを支持するフレームと、
前記フレームに支持される背もたれと、
前記フレームを支持する脚部と、
を備える椅子。
【発明の詳細な説明】
【技術分野】
【０００１】
本発明は、椅子に関するものである。
【背景技術】
【０００２】
従来の椅子、特に座部を跳ね上げて起立させ、前後方向に重ねるネスティングが可能な椅子の座部は、フレームと、フレームに支持される背もたれと、フレームを支持する脚部と、フレームに取り付けられるアウターと、クッションとともにアウターに取り付けられるインナーと、を有する。
【０００３】
このインナーは、複数のリブと、ストッパと、を有する。リブは、椅子の前方の縁付近及び椅子の後方の縁付近に配置され、アウターに対向する面に椅子の前方向から後ろ方向に屈曲する。ストッパは、椅子の前方の縁付近にリブと所定間隔を開けて、アウターに対向する面に略垂直に設けられる。アウターは、リブと嵌合する嵌合部と、パイプ状の芯材と、を有する（例えば、特許文献１。）。
【０００４】
インナーをアウターに取り付ける際は、インナーを椅子の前方から後方にスライドさせてリブと嵌合部とを嵌合させる。そして、インナーを弾性変形させてストッパを芯材の外側に持って行き、ストッパが芯材と接触するようにアウターに嵌め込む。
【０００５】
このように嵌め込むと、上下方向、左右方向、及び前方へのズレはリブと嵌合によって、後方へのズレはストッパによって規制される。
【０００６】
しかし、ストッパによる固定は芯材があることを前提とするため、芯材のない椅子にはこのような構成は適用できない。また、椅子を上方向に持ち上げる場合、インナーが弾性変形するとストッパが芯材から外れることがあるため、インナーがアウターから抜けてしまう可能性がある。
【先行技術文献】
【特許文献】
【０００７】
【特許文献１】特開２００９−１０６４２２号公報
【発明の概要】
【発明が解決しようとする課題】
【０００８】
本発明が解決しようとする課題は、アウターに芯材がない機種にも適用でき、椅子を上方向に持ち上げる際にインナーが多少弾性変形してもインナーがアウターから抜けない椅子を提供することである。
【課題を解決するための手段】
【０００９】
前記課題を解決するため、本発明に係る椅子は、嵌合方向に屈曲し、係止孔を有する係止片を備えるインナー、前記係止片と前記係止孔より前記嵌合方向の手前側において嵌合する嵌合部及び前記係止孔を露出させる露出孔を有するアウター、並びに前記係止孔に挿通される係止具を備える座部と、前記アウターを支持するフレームと、前記フレームに支持される背もたれと、前記フレームを支持する脚部と、を備える。
【発明の効果】
【００１０】
本発明によれば、アウターに芯材がない機種にも適用でき、椅子を上方向に持ち上げる際にインナーが多少弾性変形してもインナーがアウターから抜けない椅子を提供することができるという効果がある。
【図面の簡単な説明】
【００１１】
【図１】椅子の正面斜視図。
【図２】椅子の背面斜視図。
【図３】椅子の底面図。
【図４】アウターの平面斜視図。
【図５】インナーの底面斜視図。
【図６】図４におけるＡの部分の拡大図。
【図７】後方嵌合部の平面図。
【図８】後方嵌合部の図６におけるＣＣ線断面図。
【図９】図５におけるＢの部分の拡大図。
【図１０】後方リブの平面図。
【図１１】後方リブの図９におけるＤＤ線断面図。
【図１２】インナーをアウターに取り付けた場合の、後方リブ付近の底面図。
【図１３】図１２におけるＥＥ線断面図。
【図１４】座部を椅子の後方に向けて跳ね上げた様子を示す図。
【図１５】複数の椅子を前後方向に重ねて収納した図。
【発明を実施するための形態】
【００１２】
以下、本発明にかかる椅子１の一実施形態を、図面を参照しながら説明する。本実施形態においては、座部を跳ね上げて起立させ、前後方向に重ねて収納可能であるネスティングできる椅子を例に説明するが、本発明は座部が跳ね上がらないタイプの椅子にも適用できる。以下、着座した場合の前方を単に前方と、着座した場合の後方を単に後方という。
【００１３】
図１は椅子１の正面斜視図、図２は椅子１の背面斜視図、図３は椅子１の底面図である。図１から図３に示すように、椅子１は、背もたれ２Ａと、背もたれ２Ａを両脇から支持するフレーム２と、フレーム２に取り付けられる複数の脚部と、座部３と、を備える。
【００１４】
脚部は、フレーム２から斜め後方の床面方向に延びる２本の後方脚部２Ｂと、フレーム２から斜め前方の床面方向に延びる２本の前方脚部２Ｃと、を備える。後方脚部２Ｂ及び前方脚部２Ｃの床面方向の先端にはキャスター４が一つずつ取り付けられる。フレーム２は、横方向に延びる支持部材５が接続される。
【００１５】
座部３は、フレーム２に回転可能に取り付けられるアウター２０と、アウター２０に取り付けられるインナー１０と、を備える。
【００１６】
アウター２０は、中央部に第１の貫通孔２７を有し、支持部材５に対応する位置に支持部材５を受ける受け部２６を有する。跳ね上げ位置から下方に回転するアウター２０は、受け部２６が支持部材５に当接することにより回転が阻止され、アウター２０は座位に位置決めされる。
【００１７】
インナー１０は、図示しないクッションと、クッションを支持するインナーシェル１１と、を備える。クッションはインナーシェル１１に巾着状の布カバー１１Ａによって取り付けられる。
【００１８】
図４は、アウター２０の平面斜視図である。図４に示すように、アウター２０は、第１の貫通孔２７を周回するアウターシェル２１と、アウターシェル２１の支持部材５に対応する位置に設けられる受け部２６と、を備える。
【００１９】
アウターシェル２１は、第１の貫通孔２７を取り巻き、垂直に立ち上がる壁部２１Ａと、壁部２１Ａの下端部から斜め上方に延びる基底版２１Ｂと、壁部２１Ａ及び基底版２１Ｂとを接続する支持板２１Ｃと、を備える。支持板２１Ｃはアウターシェル２１の剛性を高める。アウターシェル２１は合成樹脂により形成される。
【００２０】
アウターシェル２１は、椅子１の前方の左右及び中央部に合計３つの前方嵌合部２２を備える。前方嵌合部２２は横長の前方嵌合孔２２Ａを有する。
【００２１】
アウターシェル２１は、椅子１の後方側の幅方向両側に一対設けられる後方嵌合部２３を備える。後方嵌合部２３は横長の後方嵌合孔２５を有する。アウターシェル２１は、後方嵌合部２３に対応する位置に第２の貫通孔２４を有する。
【００２２】
図５は、インナー１０の底面斜視図である。図５に示すように、インナー１０は、クッションを内側に包み込む布カバー１１Ａと、クッションを椅子の下方から支持するインナーシェル１１と、を備える。
【００２３】
インナーシェル１１は、中央部分に配置される複数のスリット１１Ｂと、椅子１の前方側に設けられる前方リブ１３と、椅子１の後方側に設けられる係止片である後方リブ１５と、を備える。
【００２４】
前方リブ１３は、インナーシェル１１のアウター２０に対向する面に垂直に延び、第１の方向である椅子１の後方から前方に屈曲する。従って、前方リブ１３は断面がＬ字形状をなす。前方リブ１３は前方嵌合孔２２Ａに対応する位置に合計３つ設けられる。前方リブ１３の幅Ｗ１は前方嵌合孔２２Ａにガタつきなく嵌合する幅を有する。
【００２５】
後方リブ１５は、インナーシェル１１のアウター２０に対向する面に垂直に延び、第１の方向と同じ方向である椅子１の後方から前方に、すなわち嵌合方向に屈曲する。従って、後方リブ１５は断面がＬ字形状をなす。後方リブ１５は後方嵌合孔２５に対応する位置に合計２つ設けられる。後方リブ１５の幅Ｗ２は後方嵌合孔２５にガタつきなく嵌合する幅を有する。
【００２６】
図６は図４におけるＡの部分の拡大図、図７は後方嵌合部２３の平面図である。図８は後方嵌合部２３の図６におけるＣＣ線断面図である。図６から図８に示すように、後方嵌合部２３は第２の貫通孔２４を跨ぐように配置される。後方嵌合孔２５は第２の貫通孔２４と連通する。後方嵌合孔２５の幅は第２の貫通孔２４の幅と略等しい。後方嵌合部２３付近の基底版２１Ｂには後方リブ１５の大きさ及び形が略等しい溝部２８が設けられる。
【００２７】
図９は図５におけるＢの部分の拡大図、図１０は後方リブ１５の平面図である。図１１は後方リブ１５の図９におけるＤＤ線断面図である。図９から図１１に示すように、後方リブ１５は中央部に後方リブ１５を厚さ方向に貫通する係止孔であるピン穴１６を有する。
【００２８】
インナーシェル１１は、ピン穴１６に対応する位置に後方リブ１５との間に後方嵌合部２３の厚さ分だけの間隙を開けて後方リブ１５の方向に突出する台座部１７を有する。台座部１７は、ピン穴１６に対応する位置に、インナーシェル１１を厚さ方向に貫通するピン挿通孔１８を有する。インナーシェル１１の後方リブ１５の下方にはインナーシェル１１を厚さ方向に貫通する穴１９が設けられる。
【００２９】
図１２はインナー１０をアウター２０に取り付けた場合の、後方リブ１５付近の底面図である。図１３は図１２におけるＦの部分を、インナー１０を上にしたＥＥ線断面図である。図１２及び図１３に示すように、インナー１０は椅子１に向かって後方から前方に向かってスライドされ、前方リブ１３が前方嵌合孔２２Ａに、後方リブ１５が後方嵌合孔２５にそれぞれ嵌合されて取り付けられる。このように取り付けられると、後方嵌合部２３はピン穴１６より後方リブ１５の奥側、つまりピン穴１６より椅子１の奥側に位置することとなる。嵌合部である後方嵌合部２３は、係止片である後方リブ１５と係止孔であるピン穴１６より嵌合方向の手前側、すなわち椅子１の後方の奥側において嵌合する。
【００３０】
この状態においてアウター２０の底面からは後方リブ１５が、露出孔である第２の貫通孔２４から露出する。この露出した後方リブ１５のピン穴１６、及びこのピン穴１６に対応する位置に設けられるピン挿通孔１８に係止具、例えばピン３０が挿通される。ピン穴１６はピン３０が挿通された場合、ピン３０が後方嵌合部２３とガタつきなく接触する位置に配置される。
【００３１】
従って、ピン３０により第１の方向とは逆の第２の方向である椅子１の後ろ方向へのインナー１０の動きが規制される。そして、第１の方向である椅子１の前方向に屈曲する前方リブ１３、及び前方リブ１３に上下及び幅方向にガタつきなく嵌合する前方嵌合部２２と、第１の方向を同じ方向に屈曲する後方リブ１５、及び後方リブ１５に上下及び幅方向にガタつきなく嵌合する後方嵌合部２３と、によって上下方向、幅方向、つまり左右方向、及び第１の方向である椅子１の前方向へのインナー１０の動きが規制される。
【００３２】
ここで、椅子１には通常後ろ向きにかかる力が一番弱い。従って、ピン３０が規制するインナー１０の動きの方向である第２の方向は椅子１の後ろ向きの方向であることが望ましい。
【００３３】
図１４は座部３を椅子１の後方に向けて跳ね上げた様子を示す図、図１５は複数の椅子１を前後方向に重ねて収納する、いわゆるネスティングを行った図である。本実施形態の椅子１はこのようにネスティングできる椅子に適用できる。
【００３４】
ネスティングできる椅子は、構造を簡単にする必要があることから芯材がないことが多い。従って、アウター２０へのインナー１０の取り付けに芯材を必要としない本実施形態の椅子はこのようなネスティングできる椅子に好適である。
【００３５】
なお、上述したインナー１０とアウター２０の関係は逆となっていてもよい。つまり、椅子１は、嵌合方向、例えば後方から前方に屈曲し、係止孔であるピン穴１６を有する係止片である後方リブ１５を備えるアウター２０、係止片と係止孔より嵌合方向の手前側において嵌合する嵌合部及び係止孔を露出させる露出孔である第２の貫通孔２４を有するインナー１０、並びに係止孔に挿通される係止具を備える座部３と、アウター２０を支持するフレーム２と、フレーム２に支持される背もたれ２Ａと、フレーム２を支持する脚部と、を備えていてもよい。
【００３６】
以上述べたように、本実施形態の椅子１は、嵌合方向、例えば後方から前方に屈曲し、係止孔であるピン穴１６を有する係止片である後方リブ１５を備えるインナー１０、係止片と係止孔より嵌合方向の手前側において嵌合する嵌合部及び係止孔を露出させる露出孔である第２の貫通孔２４を有するアウター２０、並びに係止孔に挿通される係止具を備える座部３と、アウター２０を支持するフレーム２と、フレーム２に支持される背もたれ２Ａと、フレーム２を支持する脚部と、を備える。
【００３７】
インナー１０をアウター２０に固定するためには、（１）前後ずれ防止手段、（２）左右ずれ防止手段、（３）上下方向の離間防止手段、の３種類の手段が必要となる。本実施形態の椅子１は、係止片（前方リブ１３、後方リブ１５）は、インナー１０のアウター２０に対する前方向又は後ろ方向のいずれか一方のずれ及び上下方向の離間を防止するように嵌合部（前方嵌合部２２、後方嵌合部２３）と係合し、（１）前後ずれ防止手段、（３）上下方向の離間防止手段として機能する。また、係止片（前方リブ１３、後方リブ１５）は、インナー１０のアウター２０に対する左右方向のずれを防止するように嵌合部（前方嵌合部２２、後方嵌合部２３）の幅と対応する幅を有し、（２）左右ずれ防止手段として機能する。さらに、係止具（ピン３０）は、インナー１０のアウター２０に対する前方向又は後ろ方向のいずれか他方のずれを防止するように係止孔（ピン穴１６、ピン挿通孔１８）に挿通され、（１）前後ずれ防止手段として機能する。
【００３８】
従って、アウターに芯材がない機種にも適用でき、椅子を上方向に持ち上げる際にインナーが多少弾性変形してもインナーがアウターから抜けない椅子を提供することができるという効果がある。
【符号の説明】
【００３９】
１  椅子
２  フレーム
２Ｂ  後方脚部
２Ｃ  前方脚部
３  座部
４  キャスター
５  支持部材
１０  インナー
１１  インナーシェル
１１Ａ  布カバー
１１Ｂ  スリット
１３  前方リブ
１５  後方リブ
１６  ピン穴
１７  台座部
１８  ピン挿通孔
１９  穴
２０  アウター
２１  アウターシェル
２１Ａ  壁部
２１Ｂ  基底版
２１Ｃ  支持板
２２  前方嵌合部
２２Ａ  前方嵌合孔
２３  後方嵌合部
２４  第２の貫通孔
２５  後方嵌合孔
２６  受け部
２７  第１の貫通孔
２８  溝部
３０  ピン
【図１】
0006673673.tif 000002
【図２】
0006673673.tif 000003
【図３】
0006673673.tif 000004
【図４】
0006673673.tif 000005
【図５】
0006673673.tif 000006
【図６】
0006673673.tif 000007
【図７】
0006673673.tif 000008
【図８】
0006673673.tif 000009
【図９】
0006673673.tif 000010
【図１０】
0006673673.tif 000011
【図１１】
0006673673.tif 000012
【図１２】
0006673673.tif 000013
【図１３】
0006673673.tif 000014
【図１４】
0006673673.tif 000015
【図１５】
0006673673.tif 000016